(57)【要約】      （修正有）【課題】様々な寸法の棒状物に合わせて、寸法を調整することが容易で、折りたたむことができ、夜間には他人からの視認性を上げることができるホルダーを提供する。【解決手段】一方の面の端部に面テープＡ面１２と同一面の他端部に面テープＢ面１１を縫い付け、面テープＢ１１を有する側のホルダー２の端部にＯリング１０を縫い付けたホルダー２をブラケットのベルト挿入孔２０Ｌ、２０Ｒに通す。ホルダー２の面テープＡ面１２の裏面に蓄光反射ワッペンを縫い付ける。【選択図】図１
0003172765.tif 000002
【実用新案登録請求の範囲】
【請求項１】
先行技術において壁（１９）にこれを備えた片面に面テープＡ面（１２）と面テープＢ（１１）をホルダー（２）に縫い付けて切れ目を有する事も有るＯリング（１０）とからなるホルダー
【請求項２】
先行技術において無かった安全性が、請求項１のホルダーに蓄光反射ワッペン（１３）を縫い付けた事で、他人からの視認性を上げる安全性を向上する事が出来るホルダー
【考案の詳細な説明】
【技術分野】
【０００１】本考案は、棒状の物例えば、ペンライト・誘導棒・傘・斧・金槌・杖・カメラのスタンド・バール・Ｔ型レンチ・パイプと言った用具を、腰ベルトまたは安全帯、スカートやズボンに取り付けるためのホルダーに関するものである。
【背景技術】
【０００２】ペンライト・誘導棒・傘・斧・金槌・杖・カメラのスタンド・バール・Ｔ型レンチ・パイプと言った物にはクリップなどを装備したものはほとんどなく、バックやポケットの中に入れたり、手で持ったまま持ち歩くことが多かった。
また従来技術のブラケットでは棒状の部分が折りたたむ事が出来ず行動の邪魔になっていたり、棒状の寸法に合わせて微調整が出来なかった。（例えば、特許文献１参照。）
【特許文献１】実新登録第３１５８８７８号公報  （段落０００２、図８、図９  ）
【考案の概要】
【考案が解決しようとする課題】
【０００３】しかしながら従来のブラケットでの問題点は、棒状の物を保持する部分がプラスチックで形成されており、物を挿入しないで活動する際も、円筒状に形が出っ張ったままなので活動しにくかった。
また、棒状の工具には細い物から太い物まであるが、従来のブラケットでは寸法の微調整が効かずに、ゆるいまま物を挿入したりきついまま挿入したりしていて活用しづらかった。
また、主に屋外で作業する時に使用されるブラケットで有るが、他人からの視認性等は全く考慮されておらず、安全反射ベストを着用する等別の対策をする事が必要であった。【０００４】本考案は、このような従来の問題を解決しようとするもので、ホルダーを使用する事で、さまざまな寸法の棒状の物に合わせて寸法調整をする事が容易で、しかも縫製品で出来ている事から、物をホルダーに挿入して居ない時は、ホルダーは柔軟性が有る為に折りたたんでスリムにしておく事が可能となる。また蓄光反射ワッペンを縫製品に縫い付けておく事で、従来技術には無かったホルダーでの他人からの視認性を上げる事を提供する事を目的とする。
【課題を解決するための手段】
【０００５】本考案は縫製品に巻き付けられて縫われた０リング（１０）と縫製品に縫い付けられた面テープＢ面（１１）とマジックテープＡ面（１２）と蓄光反射ワッペン（１３）と、折り返して縫われた折り返し縫い付け壁（１４）ととからなるホルダー。
【考案の効果】
【０００６】本考案によれば、手に持っていたりバッグやポケットに入れていた棒状のペンライト・誘導棒・傘・斧・金槌・杖・カメラのスタンド・バール・Ｔ型レンチ・パイプと言った物を腰に装着した本ホルダーに挿入する事で、必要な時に素早く取り出す事が出来るようになった。
また、ホルダーに何も挿入して居ない時には、ホルダーを折りたたんで活動の妨げにならなくする事が出来るようになった。
また、蓄光反射ワッペンが縫い付けられているので、他人からの視認性を上げる効果を盛り込まれて安全性が高まった。
【図面の簡単な説明】
【図１】従来技術（実新登録第３１５８８７８号公報  ）のブラケットに本考案のホルダーを装着する図面である。
【図２】図１のホルダーが輪状に巻かれ、誘導棒が挿入された図面である。
【考案を実施するための形態】
【０００７】本考案のホルダー２は、図１に示されるように、従来技術のブラケット１にあるベルト挿入孔２０Ｌにホルダー２の折り返し縫い付け１４を挿入し、ブラケット１のベルト挿入孔２０Ｒから出す事で、ブラケット１とホルダーの関連が確認できる。
【０００８】本考案のホルダー２は図２に示されるように、ブラケット１挿入された折り返し縫い付け壁１４をＯリング１０のＯリング内径の穴１５に挿入し、折り返す事で棒状の物を挿入する輪Ｂ５が形成される。
【０００９】折り返されたホルダー２の裏面に面テープＡ面１２がありその反対面には面テープＢ面１１が位置されているので、輪Ｂ５に挿入する棒状の物に合わせて寸法を調整して、面テープＡ面１２と面テープＢ面１１をくっつける事で輪Ｂ５の寸法が保持され輪Ｂ５が形成される。
【００１０】本考案のホルダー２は図２に示されるように、蓄光反射ワッペン１３が縫い付けられているので、腰回りに装着しておくだけで、他人からの視認性が上がる。
【００１１】図２で、ホルダー２の輪Ｂ５に棒状の物をなにも入れない時には、蓄光反射ワッペン１３を輪Ｂ５Ｇが潰れるように押す事で、ホルダー２が簡易折りたたみなり、活動の妨げにならない。
【産業上の利用可能性】
【００１２】本考案は、ペンライト・誘導棒・傘・斧・金槌・杖・カメラのスタンド・バール・Ｔ型レンチ・パイプの用具を、腰ベルトまたは安全帯、スカートやズボンに取り付けるためのホルダーに関するものである。さらに、畜光反射ワッペンを本考案のホルダーに縫い付けておく事で、夜間第三者からの視認性を上げる目的にも利用できるようになった。
また、ブラケットに挿入されたホルダーは縫製品なので、使わない時は手でホルダーを押さえて折りたたむ事で、活動の障害にならなくなった。
【符号の説明】１……ブラケット
２……ホルダー
１０……Ｏリング
１１……面テープＢ面
１２……面テープＡ面
１３……蓄光反射ワッペン
１４……折り返し縫い付け壁
１５……Ｏリング内径の穴
２０Ｌ……ベルト挿入孔
２０Ｒ……ベルト挿入孔
Ｂ５……輪
Ｕ……誘導棒
【図１】
0003172765.tif 000003
【図２】
0003172765.tif 000004
【手続補正書】
【提出日】平成23年8月18日(2011.8.18)
【手続補正１】
【補正対象書類名】実用新案登録請求の範囲
【補正対象項目名】全文
【補正方法】変更
【補正の内容】
【実用新案登録請求の範囲】
【請求項１】
棒状のものを保持するホルダー（２）を有するブラケットにおいて、前記ブラケットが有するベルト挿入孔（２０Ｌ）（２０Ｒ）と、一方の面の端部に面テープＡ面（１２）と同一面の他端部に面テープＢ面（１１）を縫い付け、前記面テープＢ（１１）を有する側のホルダー（２）の端部にＯリング（１０）を縫い付けた前記ホルダー（２）を前記ベルト挿入孔（２０Ｌ）（２０Ｒ）に通した事を特徴とするホルダー
【請求項２】
前記ホルダー（２）の前記面テープＡ面（１２）の裏面に蓄光反射ワッペンを縫い付けた事を特徴とする請求項１記載のホルダー
【手続補正２】
【補正対象書類名】明細書
【補正対象項目名】０００５
【補正方法】変更
【補正の内容】
【０００５】本考案は棒状のものを保持するホルダー（２）を有するブラケットにおいて、前記ブラケットが有するベルト挿入孔（２０Ｌ）（２０Ｒ）と、一方の面の端部に面テープＡ面（１２）と同一面の他端部に面テープＢ面（１１）を縫い付け、前記面テープＢ（１１）を有する側のホルダー（２）の端部にＯリング（１０）を縫い付けた前記ホルダー（２）を前記ベルト挿入孔（２０Ｌ）（２０Ｒ）に通した事を特徴とするホルダー
また、前記ホルダー（２）の前記面テープＡ面（１２）の裏面に蓄光反射ワッペンを縫い付けた事を特徴とするホルダー。